(57)【要約】  【課題】  炊飯器本体もしくは蓋体の外郭にパネルを有する炊飯器において、透明感と奥行き感のある質感を機器外郭に表現してデザイン性を向上し、さらに機器の熱による変形を防止するとともに、故障時のメンテナンス性や組立て時の歩留まりを改善する。  【解決手段】  炊飯器本体内に鍋を着脱自在に収納して、鍋を加熱手段により加熱し、炊飯器本体の上面を蓋体８により開閉自在に覆うよう構成する。炊飯器本体もしくは蓋体８の外郭は部分的に加飾を施した透明フィルム層１５ａと透明材料層１５ｂを一体に形成し、透明材料層１５ｂ側に有色材料層１５ｃを一体に形成した３層からなるパネル１５を有し、パネル１５の透明材料層１５ｂもしくは有色材料層１５ｃは炊飯器本体あるいは蓋体８に固定するための爪部１５ｇとねじ用ボス部１５ｈを有する。【選択図】  図１
2005046347.tif 000002
【特許請求の範囲】
【請求項１】
鍋と、前記鍋を着脱自在に収納する炊飯器本体と、前記鍋を加熱する加熱手段と、前記炊飯器本体の上面を開閉自在に覆う蓋体とを備え、前記炊飯器本体もしくは前記蓋体の外郭は部分的に加飾を施した透明フィルム層と透明材料層を一体に形成し、透明材料層側に有色材料層を一体に形成した３層からなるパネルを有し、前記パネルの透明材料層もしくは有色材料層は前記炊飯器本体あるいは前記蓋体に固定するための嵌合部を有する炊飯器。
【請求項２】
加熱手段を操作する操作部を備え、パネルは部分的に透明フィルム層のみで構成されたエンボス部を有し、前記エンボス部で前記操作部を構成するとともに、前記透明フィルム層に前記エンボス部を覆ってなる加飾を施した請求項１記載の炊飯器。
【請求項３】
炊飯器本体の状態を表示する表示部を備え、パネルは有色材料層のない部分で構成された透明窓を有し、前記表示部を前記透明窓に配設した請求項１記載の炊飯器。
【請求項４】
透明窓の有色材料層側表面に微少な凹凸加工を施した請求項３記載の炊飯器。
【請求項５】
透明材料層と有色材料層の境界面を凹凸状とした部分を有する請求項１記載の炊飯器。
【発明の詳細な説明】
【技術分野】
【０００１】
本発明は、炊飯器本体もしくは蓋体の外郭にパネルを有する炊飯器に関するものである。
【背景技術】
【０００２】
従来、この種の機器の構成は図８に示すようなものであった。以下、その構成について説明する。
【０００３】
図８に示すように、機器外郭５１は、その表面にパネル５５を装着するパネル装着部５６を凹設している。このパネル装着部５６には操作部５２のアクチュエータ５２ａが臨む操作部操作孔５７と、操作に対応して表示をするパイロットランプ５３が貫通するパイロットランプ孔５８を設けている。
【０００４】
樹脂製のパネル５５はパイロットランプ５３の光が透過するよう透明材料であらかじめ防水フィルム５９と一体成形され、操作部６０にはパネル５５の樹脂はなく、防水フィルム５９のみとなっている。防水フィルム５９には本体内部の構成部品が見えないように透明材料側の面に着色が施されている。また、パネル５５は接着部６２により機器外郭５１に水密に接着あるいは粘着されている（例えば、特許文献１参照）。
【特許文献１】特開平６−２０９８４９号公報
【発明の開示】
【発明が解決しようとする課題】
【０００５】
しかしながらこのような従来の構成では、透明感と奥行き感のある質感を機器外郭５１に表現しようとしても、フィルムの厚み分しか表現できず、透明感と奥行き感のある質感を機器外郭に表現しにくく、デザイン性に制限があった。またパネル５５は機器動作時の熱により変形しやすい。そして、パネル５５を取り外す際に接着あるいは粘着材をはがす必要があり、内蔵機器の故障時のメンテナンス性が悪く、組立て時の歩留まりも悪かった。
【０００６】
本発明は上記課題を解決するもので、透明感と奥行き感のある質感を機器外郭に表現してデザイン性を向上し、さらに機器の熱による変形を防止するとともに、故障時のメンテナンス性や組立て時の歩留まりを改善することを目的としている。
【課題を解決するための手段】
【０００７】
本発明は上記目的を達成するために、炊飯器本体内に鍋を着脱自在に収納して、鍋を加熱手段により加熱し、炊飯器本体の上面を蓋体により開閉自在に覆うよう構成し、炊飯器本体もしくは蓋体の外郭は部分的に加飾を施した透明フィルム層と透明材料層を一体に形成し、透明材料層側に有色材料層を一体に形成した３層からなるパネルを有し、パネルの透明材料層もしくは有色材料層は炊飯器本体あるいは蓋体に固定するための嵌合部を有するものである。
【０００８】
これにより、透明感と奥行き感のある質感を機器外郭に表現しデザイン性を向上することができ、さらに機器の熱による変形を防止できるとともに、故障時のメンテナンス性や組立て時の歩留まりを改善することができる。
【発明の効果】
【０００９】
以上のように本発明の請求項１に記載の発明によれば、炊飯器本体もしくは蓋体の外郭は部分的に加飾を施した透明フィルム層と透明材料層を一体に形成し、透明材料層側に有色材料層を一体に形成した３層からなるパネルを有し、パネルの透明材料層もしくは有色材料層は炊飯器本体あるいは蓋体に固定するための嵌合部を有するから、透明感と奥行き感のある質感を機器外郭に表現しデザイン性を向上することができ、さらに機器の熱による変形を防止できるとともに、故障時のメンテナンス性や組立て時の歩留まりを改善することができる。
【００１０】
また、請求項２に記載の発明によれば、加熱手段を操作する操作部を備え、パネルは部分的に透明フィルム層のみで構成されたエンボス部を有し、エンボス部で操作部を構成するとともに、透明フィルム層にエンボス部を覆ってなる加飾を施したから、段差や溝がなく、手入れしやすい操作部を提供することができ、さらに加飾により操作部の操作性を向上することができる。
【００１１】
また、請求項３に記載の発明によれば、炊飯器本体の状態を表示する表示部を備え、パネルは有色材料層のない部分で構成された透明窓を有し、表示部を透明窓に配設したから、段差や溝がなく、手入れしやすく、広い表示面積を有する表示部を提供することができる。
【００１２】
また、請求項４に記載の発明によれば、透明窓の有色材料層側表面に微少な凹凸加工を施したから、点灯による表示部で深みのある点灯状態を表現でき、かつランプが直接見えるのを防止でき、デザイン性を向上することができる。
【００１３】
また、請求項５に記載の発明によれば、透明材料層と有色材料層の境界面を凹凸状とした部分を有するから、透明感と奥行き感をより立体的に表現でき、デザイン性をさらに向上することができる。
【発明を実施するための最良の形態】
【００１４】
本発明の請求項１に記載の発明は、鍋と、前記鍋を着脱自在に収納する炊飯器本体と、前記鍋を加熱する加熱手段と、前記炊飯器本体の上面を開閉自在に覆う蓋体とを備え、前記炊飯器本体もしくは前記蓋体の外郭は部分的に加飾を施した透明フィルム層と透明材料層を一体に形成し、透明材料層側に有色材料層を一体に形成した３層からなるパネルを有し、前記パネルの透明材料層もしくは有色材料層は前記炊飯器本体あるいは前記蓋体に固定するための嵌合部を有するものであり、透明感と奥行き感のある質感を機器外郭に表現しデザイン性を向上することができ、さらに機器の熱による変形を防止できるとともに、故障時のメンテナンス性や組立て時の歩留まりを改善することができる。
【００１５】
請求項２に記載の発明は、上記請求項１に記載の発明において、加熱手段を操作する操作部を備え、パネルは部分的に透明フィルム層のみで構成されたエンボス部を有し、前記エンボス部で前記操作部を構成するとともに、前記透明フィルム層に前記エンボス部を覆ってなる加飾を施したものであり、段差や溝がなく、手入れしやすい操作部を提供することができ、さらに加飾により操作部の操作性を向上することができる。
【００１６】
請求項３に記載の発明は、上記請求項１に記載の発明において、炊飯器本体の状態を表示する表示部を備え、パネルは有色材料層のない部分で構成された透明窓を有し、前記表示部を前記透明窓に配設したものであり、段差や溝がなく、手入れしやすく、広い表示面積を有する表示部を提供することができる。
【００１７】
請求項４に記載の発明は、上記請求項３に記載の発明において、透明窓の有色材料層側表面に微少な凹凸加工を施したものであり、点灯による表示部で深みのある点灯状態を表現でき、かつランプが直接見えるのを防止でき、デザイン性を向上することができる。
【００１８】
請求項５に記載の発明は、上記請求項１に記載の発明において、透明材料層と有色材料層の境界面を凹凸状とした部分を有するものであり、透明感と奥行き感をより立体的に表現でき、デザイン性をさらに向上することができる。
【実施例１】
【００１９】
以下、本発明の実施例について、図面を参照しながら説明する。
【００２０】
（実施例１）
図２に示すように、炊飯器本体１は有底筒状の鍋収納部１ａを有し、鍋２を着脱自在に収納する。底誘導コイル３は、鍋加熱手段を構成するもので、鍋収納部１ａの底部に設け、鍋２を誘導加熱して炊飯・保温を行う。底センサ４は、鍋２の温度を検知し、制御部５へ信号を送る。制御部５は底センサ４の信号より底誘導コイル３の通電量を制御し、鍋２の加熱量を可変することで鍋２の温度を炊飯・保温時に適温に制御するよう構成している。
【００２１】
炊飯器本体１の上部は、炊飯器本体１の後部のヒンジ部６に設けたヒンジ軸７にて軸支した開閉自在な蓋体８で覆っている。蓋体８の先端には蓋係合部１４を設けており、炊飯器本体１の前方のフックボタン１６と閉蓋時に係合し、炊飯または保温中に蓋体８が開くのを防止している。フックボタン１６を押すと、蓋係合部１４とフックボタン１６の係合が外れ、蓋体８のヒンジ部６に設けたヒンジばね１７の力よって蓋体８が開くよう構成している。
【００２２】
炊飯中や保温中にご飯から発生した蒸気は蓋体８の鍋側に付着し、蓋体８を開いたときに露が炊飯器本体１の上縁部１ｂに滴下したり、保温中にご飯の上に落下して、ご飯を白化させたりする。そこで、蓋体８には鍋２の内部空間を加熱する加熱板９を設けており、加熱板９は蓋加熱手段である蓋誘導コイル１０により誘導加熱されて発熱し、炊飯・保温中の蓋体８への露つきを防止するようにしている。
【００２３】
加熱板９には加熱板蒸気口９ａを設けており、炊飯・保温中に発生する蒸気は、加熱板蒸気口９ａを通過し、蓋蒸気口８ｃから外部へ流出する。蒸気口パッキン１８は、加熱板蒸気口９ａからの蒸気が蓋体８の内部に流入するのを防止している。また、鍋パッキン１９は、加熱板９と鍋２のフランジ部２ａの間から蒸気が外部へ漏れ出すのを防止している。
【００２４】
蓋体８の外郭は、図１に示すように、表面に厚さ０．０５〜０．３ｍｍのポリエチレンテレフタレート樹脂等でなる透明フィルム層１５ａを有し、その下層にＡＢＳ樹脂、ポリカーボネート樹脂、アクリル樹脂などの透明材料層１５ｂを有し、さらに、その下層に有色材料層１５ｃを一体に形成したパネル１５で覆われている。透明フィルム層１５ａは透明材料層側の面１５ｆに印刷や塗装、蒸着などによる加飾を部分的に施している。
【００２５】
透明材料層１５ｂの厚さは、透明フィルム層１５ａに比べて十分に厚肉の１〜３ｍｍとなっている。有色材料層１５ｃは透明材料層１５ｂと同種の材料あるいは透明材料層１５ｂと成形密着性のある有色の材料からなり、たとえば透明材料層１５ｂがアクリル樹脂であれば、有色材料層１５ｃは着色したアクリル樹脂あるいはＡＢＳ樹脂で構成する。
【００２６】
そして、パネル１５の有色材料層１５ｃには、パネル１５を蓋体８に固定するための嵌合部を構成している。嵌合部は爪部１５ｇとねじ用ボス部１５ｈとで構成している。ここで、図３に示すように、透明材料層１５ｂに嵌合用の爪部１５ｊやねじ用ボス部１５ｋを構成することもできる。ただし、この場合、爪部１５ｊやねじ用ボス部１５ｋ上の透明フィルム層１５ａには加飾を施し、爪部１５ｊやねじ用ボス部１５ｋが外観にあらわれないように配慮をしている。
【００２７】
上記構成において作用を説明する。透明フィルム層１５ａを透明なフィルム層とし、さらに透明材料層１５ｂの下層に有色材料層１５ｃを一体に形成すると、透明フィルム層１５ａと透明材料層１５ｂを透過して有色材料層１５ｃが透視されるので、外郭に透明感と奥行き感のある質感が表現でき、深みがあり、高級感のあるデザインが可能となり、デザイン性を向上することができる。ここで、表面の透明フィルム層１５ａに比べて、透明材料層１５ｂが厚いほど透明感のある質感は強調される。たとえば、透明材料層１５ｂの厚さが１ｍｍ以上あると、かなりの透明感のある質感が表現できる。
【００２８】
また、パネル１５の透明材料層１５ｂを通して、透明フィルム層１５ａの文字や絵柄などの加飾の影が有色材料層１５ｃに映り、文字や絵柄が立体的に表現でき、文字は見やすくなり、デザイン性もより一層高まるとともに、透明感のある質感と深みのある高級感がより一層強調できる。加えて、一体に形成することで、有色材料層１５ｃが透明フィルム層１５ａおよび透明材料層１５ｂからむらなく透過して見え、安定した品質で透明感のある質感を表現できる上、加工時の歩留まりも向上することができる。
【００２９】
さらに、透明フィルム層１５ａと透明材料層１５ｂと有色材料層１５ｃは、樹脂で構成されるので、一体成形工法を用いれば安価に透明感のある質感を表現できる。
【００３０】
また、パネル１５は過度の熱が加わったり、長年の使用によりパネル１５が変形したり、反りが発生することがあるので、接着あるいは爪嵌合やねじ止めで固定する必要がある。本実施例のように、３層構造であればパネル１５は厚肉となり、剛性を向上することができて変形や反りが発生しにくくできる。
【００３１】
また、有色材料層１５ｃあるいは透明材料層１５ｂに嵌合用の爪部１５ｇ、１５ｊやねじ用ボス部１５ｈ、１５ｋを構成し、炊飯器本体１あるいは蓋体８に爪嵌合あるいはねじ止めで固定すると、外観部には爪部１５ｇ、１５ｊやねじ用ボス部１５ｈ、１５ｋは見えなく、外観の透明感を損なうことなく、確実に蓋体８固定することができる。
【００３２】
加えて、接着剤などは不要となり、パネル１５を取り付け、取り外しがしやすく、部材の再利用も可能となることから、内蔵機器の故障時のメンテナンス性を向上することができる。そして、組立て時に短時間で蓋体８を取り付けることができ、組立て時の不具合点の修正も容易なことから、歩留まりも向上することができる。
【００３３】
なお、本実施例では、蓋体８の外郭をパネル１５で覆っているが、操作部（図示せず）を炊飯器本体１に構成し、この操作部を同様なパネル１５で覆うように構成してもよく、同様の効果を得ることができる。
【００３４】
また、本実施例では、炊飯器を例に挙げたが、その他調理器や食器洗い乾燥機、給湯機といった熱のかかる場合のある機器であれば、本実施例と同様の効果を得ることができる
（実施例２）
図４に示すように、パネル２０は、表面に厚さ０．０５〜０．３ｍｍのポリエチレンテレフタレート樹脂等でなる透明フィルム層２６を有し、その下層にＡＢＳ樹脂、ポリカーボネート樹脂、アクリル樹脂などの透明材料層２７を有し、さらに、その下層に有色材料層２８を一体に形成し、部分的に透明フィルム層２６のみで構成したエンボス部２１を設けている。エンボス部２１は凸形状となっており、エンボス部２１と対向してキー２３を取り付け、スイッチ２４を操作可能にし、押しボタンスイッチとしての操作部２２として機能する。エンボス部２１とその周囲２１ａはキー２３側に加飾２５を施している。他の構成は上記実施例１と同じである。
【００３５】
上記構成において作用を説明する。操作部２２を蓋体に設置すると、炊飯器がどちらの向きに向いていても操作でき、使い勝手がよいのに加え、炊飯器本体の設置面積が少なくなり、炊飯器本体の置き場所を確保しやすい。
【００３６】
操作部２２は段差や溝のない１枚の透明フィルム層２６でその表面を構成しているので、段差や溝に異物やほこりの溜まる恐れがなく、手入れを容易にすることができる。加えて、操作部２２に誤って水がかかっても炊飯器本体内に浸入する恐れもなく、水による故障などの恐れがない。また、加飾２５の境界面の影が透明材料層２７を透過し、有色材料層２８に映ることで、操作部２２が立体的に浮かび上がっているように見えるので、操作部２２を認識し易く、使い勝手を向上することができる。
【００３７】
なお、本実施例では、炊飯器を例に挙げたが、その他調理器や洗濯機あるいは食器洗い乾燥機、給湯機といった操作部に水のかかる場合のある機器であれば本実施例と同様の効果を得ることができる。
【００３８】
（実施例３）
図５に示すように、パネル３０は、表面に厚さ０．０５〜０．３ｍｍのポリエチレンテレフタレート樹脂等でなる透明フィルム層を有し、その下層にＡＢＳ樹脂、ポリカーボネート樹脂、アクリル樹脂などの透明材料層を有し、さらに、その下層に有色材料層３１を一体に形成し、部分的に有色材料層３１のない部分で構成される透明窓３２を有している。
【００３９】
透明窓３２の機器内側に機器の動作状態を表示する表示装置３３を設けており、透明窓３２を通して表示装置３３の表示領域３４を目視可能とすることで、表示部３５を構成している。透明窓３２の境界部３２ｂにある有色材料層３１は表示装置３３の表示領域３４の端部近傍３４ａまで延設している。その他の構成は上記実施例１と同様である。
【００４０】
上記構成において作用を説明する。表示部３５はその表面を透明フィルム層で覆われているので、段差や溝がなく、透明窓３２の汚れやほこりを拭き取り易く、容易に手入れすることができる。また、透明窓３２の境界部３２ｂは有色材料層３１で構成されているので、表示部３５とそれ以外の部分とは段差や隙間なく、きれいな境界を構成でき、すっきりとした外観になる。
【００４１】
そして、表示部３５を斜め方向から目視したとき、透明窓３２から表示装置３３以外の部品が見えたりする恐れがなく、斜め方向から見たときにその他部品が見えないように透明窓３２をあらかじめ小さくしておく必要がなくなるので、表示面積を広く確保できる。
【００４２】
なお、本実施例では、炊飯器を例に挙げたが、表示部を有する機器であれば本実施例と同様の効果を得ることができる。
【００４３】
（実施例４）
図６に示すように、パネル４０は、表面に厚さ０．０５〜０．３ｍｍのポリエチレンテレフタレート樹脂等でなる透明フィルム層４１を有し、その下層にＡＢＳ樹脂、ポリカーボネート樹脂、アクリル樹脂などの透明材料層４４を有し、さらに、その下層に有色材料層４５を一体に形成し、部分的に有色材料層４５のない部分で構成される点灯窓４２を有している。点灯窓４２に機器の動作状態によって点灯、消灯するランプ４３を設けている。
【００４４】
点灯窓４２のランプ４３側の面４２ａには微少な凹凸４２ｂが加工されている。ランプ４３が点灯すると、ランプ４３の光は点灯窓４２のランプ側の面４２ａに設けた微少な凹凸４２ｂにより錯乱し、外部より点灯窓４２を目視すると、あたかも点灯窓４２が点灯しているように見える。
【００４５】
そして、ランプ４３が消灯しているときは、外部より点灯窓４２を目視すると、点灯窓４２のランプ側の面４２ａに設けた微少な凹凸４２ｂによる光の錯乱で、ランプ４３はぼやけて直接は見えない構成となっている。他の構成は上記実施例１と同様である。
【００４６】
上記構成において作用を説明する。ランプ４３の点灯により透明フィルム層４１と透明材料層４４を透過して点灯窓４２が点灯しているようにみえるので、深みのある点灯状態を再現できる。そして、点灯窓４２のランプ側の面４２ａが点灯しているように見えるので、面が発光しているような状態となり、きれいな点灯状態を得ることができる。また、ランプ４３の消灯時にランプ４３が直接見えてしまい外観を損なうようなことはない。
【００４７】
（実施例５）
図７に示すように、透明材料層４６は、ＡＢＳ樹脂、ポリカーボネート樹脂、アクリル樹脂などで構成し、その下層に有色材料層４７を一体に形成し、透明材料層４６と有色材料層４７の境界面を凹凸状とした部分４８を有している。他の構成は上記実施例１と同じである。
【００４８】
上記構成において作用を説明する。外部より機器を目視すると、凹凸状とした部分４８が立体的に表現され、奥行き感と透明感をさらに増すことができる。そして、凹凸状の形状で立体的に文字を表現したり、絵柄を表現することもでき、デザイン性をさらに向上することができる。
【図面の簡単な説明】
【００４９】
【図１】本発明の第１の実施例の炊飯器の要部拡大断面図
【図２】同炊飯器の断面図
【図３】同炊飯器の他の例の要部拡大断面図
【図４】本発明の第２の実施例の炊飯器の要部断面図
【図５】本発明の第３の実施例の炊飯器の要部断面図
【図６】本発明の第４の実施例の炊飯器の要部断面図
【図７】本発明の第５の実施例の炊飯器の要部断面図
【図８】従来の機器の要部断面図
【符号の説明】
【００５０】
１  炊飯器本体
２  鍋
３  加熱手段
８  蓋体
１５  パネル
１５ａ  透明フィルム層
１５ｂ  透明材料層
１５ｃ  有色材料層
１５ｇ  爪部（嵌合部）
１５ｈ  ねじ用ボス部（嵌合部）
【図１】
2005046347.tif 000003
【図２】
2005046347.tif 000004
【図３】
2005046347.tif 000005
【図４】
2005046347.tif 000006
【図５】
2005046347.tif 000007
【図６】
2005046347.tif 000008
【図７】
2005046347.tif 000009
【図８】
2005046347.tif 000010